(57)【要約】【課題】画像を大画面で観賞するとともに、不使用時には表示装置を小型化して容易に取り扱うこと。【解決手段】表示面に画像を表示する表示装置１００において、表示面に沿って配列されて長手方向に沿って発光する複数の発光部材を、発光部材の長手方向に平行な軸心周りに巻回可能に連結したことを特徴とする。そして、発光部材の長手方向に平行な軸心周りに巻回された複数の発光部材を、収納部１２０内に設けられた支持部材によって表示面の一端側を支持した状態で収納部１２０内に収納するようにした。これによって、表示装置１００と同数の解像度分の発光素子を設けた表示装置と比較して、構成を複雑にすることなく画像を大画面表示することができる。【選択図】図１
2007171831.tif 000002
【特許請求の範囲】
【請求項１】
表示面に画像を表示する表示装置であって、
前記表示面に沿って配列されて長手方向に沿って発光する複数の発光部材が、前記長手方向に平行な軸心周りに巻回可能に連結されていることを特徴とする表示装置。
【請求項２】
表示面に画像を表示する表示装置であって、
前記表示面に沿って配列されて長手方向に沿って発光する複数の発光部材を備え、前記複数の発光部材は、それぞれ、前記長手方向に非平行な軸心周りに巻回可能であることを特徴とする表示装置。
【請求項３】
前記軸心周りに巻回された前記複数の発光部材を収納する収納部と、
前記収納部内に設けられて前記表示面の一端側を支持する支持部材と、
を備えることを特徴とする請求項１または２に記載の表示装置。
【請求項４】
前記発光部材ごとに前記長手方向に沿って複数設けられた画素部のうち、前記発光部材ごとに一の任意の画素部を発光させる発光制御手段を備え、
前記発光制御手段は、前記収納部内に設けられていることを特徴とする請求項３に記載の表示装置。
【請求項５】
前記発光部材に対して光を入射する光源部を備え、
前記発光部材は、前記光源部によって入射された光を前記長手方向に伝播することで発光し、
前記発光制御手段は、前記発光部材によって伝播される光を前記任意の画素部において前記表示面側へ変向させることによって当該任意の画素部を発光させることを特徴とする請求項４に記載の表示装置。
【請求項６】
前記発光部材は、特定方向に偏光する光を発光し、
前記発光制御手段は、前記任意の画素部において前記特定方向に偏光する光を前記表示面側へ透過させることで前記任意の画素部を発光させることを特徴とする請求項５に記載の表示装置。
【請求項７】
前記光源部は、前記発光部材ごとに設けられていることを特徴とする請求項５または６に記載の表示装置。
【請求項８】
前記光源部は、赤色・青色・緑色を含む複数色の光を発光することを特徴とする請求項７に記載の表示装置。
【請求項９】
前記光源は、前記発光部材ごとに赤色、青色、または緑色のいずれかの色をそれぞれ発光することを特徴とする請求項７に記載の表示装置。
【発明の詳細な説明】
【技術分野】
【０００１】
この発明は、表示装置に関する。ただし、この発明の利用は、前述の表示装置に限るものではない。
【背景技術】
【０００２】
従来より、たとえば、ＰＤＰ方式、液晶方式、リアプロ方式などの各種の表示方式を用いた大画面の表示装置が開発されている。近年では、現在実用化されている６０インチ程度の表示画面よりも大きい表示画面を有する表示装置の実用化が要望されている。一般的に、従来の表示方式を用いた表示装置では、使用／不使用に拘わらず同じ場所に設置されている。ところが、たとえば、１００インチを超える大画面の表示装置が、不使用時にも設置されていることは、限られた空間を有効に利用する上で妨げとなっている。
【０００３】
従来では、たとえば、巻き上げ方式のスクリーンおよびこのスクリーンに画像を投影するプロジェクタ装置を用いることによって、画像を大画面で観賞するとともに不使用時にはスクリーンを巻き上げて保管することができる。ところが、この場合、スクリーンとプロジェクタ装置とが別体であり、スクリーンとプロジェクタ装置とを別々に取り扱わなくてはならず煩わしい。
【０００４】
また、従来では、たとえば、並行構成に配置されて表示面を規定する複数のファイバーを備える表示装置に関する技術がある（たとえば、下記特許文献１参照。）。ここで、特許文献１に記載された表示装置における各ファイバーは、その長さ方向に配置された複数の発光素子を含み、その各々は２つの電極を備えている。
【０００５】
そして、特許文献１に記載された表示装置は、ファイバーが備える２つの電極の間に電気信号を供給して、発光素子を発光させて、画像や情報の画素やサブ画素を表示する。各ファイバーには、その長さ方向に堆積され、第１の電極として機能する電気伝導体と、その上に堆積された発光層と、発光材料の上に堆積され、発光素子の第２の電極として機能する複数の電気的コンタクトが含まれる。
【０００６】
【特許文献１】特表２００２−５３８５０２号公報
【発明の開示】
【発明が解決しようとする課題】
【０００７】
ところで、上述した特許文献１の技術では、ファイバーの長さ方向に沿って平行な軸心周りに表示装置を巻き上げることによって、不使用時における表示装置を小型化することが可能になる。しかしながら、画素の数だけ発光素子が必要となるため装置の構成が複雑になり、それに伴って表示装置の重量も増加する傾向にあるため、表示装置を小型化しても、取り扱いにくいという問題が一例として挙げられる。
【課題を解決するための手段】
【０００８】
請求項１の発明にかかる表示装置は、表示面に画像を表示する表示装置において、前記表示面に沿って配列されて長手方向に沿って発光する複数の発光部材が、前記長手方向に平行な軸心周りに巻回可能に連結されていることを特徴とする。
【０００９】
請求項２の発明にかかる表示装置は、表示面に画像を表示する表示装置であって、前記表示面に沿って配列されて長手方向に沿って発光する複数の発光部材を備え、前記複数の発光部材は、それぞれ、前記長手方向に非平行な軸心周りに巻回可能であることを特徴とする。
【発明を実施するための最良の形態】
【００１０】
（実施の形態１）
以下に添付図面を参照して、この発明にかかる表示装置の好適な実施の形態１を詳細に説明する。はじめに、添付図面を参照して、この発明にかかる実施の形態１の表示装置の外観について説明する。図１は、実施の形態１の表示装置の外観を示す説明図である。図１において、実施の形態１の表示装置１００は、外観上確認できる部材として、表示部１１０と、収納部１２０と、を備えている。
【００１１】
まず、表示部１１０について説明する。表示部１１０は、画像を表示するフラットな表示面を有する表示面部１１１と、表示面部１１１の四方に設けられた表示枠１１２と、を備えている。表示面部１１１は、複数の発光部材（図２および図３参照）を備えている。ここで、発光部材とは、一方向に延出する長手形状を有しており、長手方向に沿って発光する部材である。発光部材は、たとえば、自身の長手方向を表示面における走査方向に平行にした状態で設けられる。
【００１２】
発光部材は、自身が発光するものであってもよいし、自身は発光せず、発光部材の外部において発光された光を伝播することによって発光するものであってもよい。前者の場合、具体的には、たとえば、表面に有機ＥＬ材料が成膜された所定形状の基材や蛍光管などによって、発光部材を実現することができる。後者の場合、具体的には、たとえば、光拡散材料を混入させた樹脂などを棒状に成型した光拡散部材や光ファイバーなどによって、発光部材を実現することができる。また、可撓性を有する材料を用いて、発光部材を実現してもよい。
【００１３】
各発光部材には、発光部材の長手方向に沿って複数の画素部が設けられている（図２および図３参照）。画素部は、発光部材よりも表示面側においてマトリクス状に配列されており、それぞれ、発光部材から発光された光を表示面側へ出射することによって発光する。具体的には、たとえば、電圧の印加／非印加に応じて遮光／透光させる液晶素子によって、画素部を実現することができる。この場合、液晶素子は、各発光部材の長手方向に沿って配列され、電極は液晶素子ごとに設けられる。
【００１４】
発光する画素部は、たとえば、表示面に画像を表示するための画像データに基づいて、任意に選択される。発光する画素部の選択は、図示しない発光制御部によっておこなわれる。発光制御部は、発光する任意の画素部が、発光部材の長手方向に沿って順次切り替わるように、各画素部を制御する。
【００１５】
具体的には、たとえば、上述したように、液晶素子によって画素部を実現した場合、発光制御部は、画像データに基づいて、発光部材を発光させるとともに、電圧を非印加状態とする電極を選択し、選択された電極における電圧を非印加状態とする。これにより、電圧が非印加状態とされた電極間における液晶分子の配向方向が切り替わり、発光部材から発光された光が、任意の画素部において表示面側へ出射されるため、画素部が発光する。
【００１６】
なお、発光部材は、特定の方向に偏光する光のみを発光する構成であってもよい。具体的には、発光部材の外周面に、液晶分子の配向方向を所定の方向に揃えた液晶材料や偏光板などを設ける。これによって、発光部材からは、特定の方向に偏光する光のみを、画素部に対して発光させることができる。
【００１７】
ところで、上述したように、自身は発光せず外部において発光された光を伝播することによって発光する発光部材を用いる場合には、当該発光部材に対して光を入射する光源部を設ける必要がある。この場合、光源部は、発光部材の長手方向において、複数の発光部材の端部に設けられる。光源部としては、具体的には、たとえば、ＬＥＤや電球などを用いることができる。光源部が発光する光量は、可変であってもよい。具体的には、たとえば、供給される電力量に応じて発光量が変化する光源部を用いることができる。
【００１８】
光源部は、複数の導光部材に対して画一的に光を入射する単一の光源部であってもよいし、発光部材ごとに設けられた複数の光源部であってもよい。複数の光源部を設ける場合、各光源部は、赤色・青色・緑色を含む複数色の光を発光部材ごとにそれぞれ発光する構成であってもよいし、赤色、青色、または緑色のいずれかの色の光を発光部材ごとにそれぞれ発光する構成であってもよい。
【００１９】
表示面部１１１において、複数の発光部材は、発光部材の長手方向に平行な軸心周りに巻回可能に連結されている。具体的には、たとえば、隣り合う発光部材同士を可撓性を有する材料によって形成された連結部材を用いて簾のように連結し、当該連結部材を撓ませることによって、複数の発光部材を長手方向に平行な軸心周りに巻回することができる。
【００２０】
また、具体的には、たとえば、複数の発光部材を可倒性を有するシート状部材に固定し、当該シート状部材を巻き上げることによって、複数の発光部材を発光部材の長手方向に平行な軸心周りに巻回するようにしてもよい。この場合、シート状部材は、光透過性を有する材料によって形成することで、発光部材よりも表示面側に設けることができる。シート状部材を発光部材よりも表示面側に設けることにより、当該シート状部材および上述した表示枠１１２によって、発光部材を埃などの異物から保護することができる。
【００２１】
さらに、有機ＥＬ材料を用いて発光部材を実現する場合、印刷などの方法によって有機ＥＬ材料をシート状部材に形成することで、当該シート状部材を巻き上げることによって、複数の発光部材を発光部材の長手方向に平行な軸心周りに巻回するようにしてもよい。この場合、シート状部材は、発光部材の長手方向に平行な軸心周りに限らず、シート状部材および有機ＥＬ材料の可撓性に応じて複数の方向に巻回することができる。
【００２２】
つぎに、収納部１２０について説明する。収納部１２０は、上述した表示面部１１１を巻回した状態で収納する収納空間を備えている。収納空間内において、複数の発光部材は、発光部材の長手方向に平行な軸心周りに巻回された状態で収納される。収納空間内には、表示面部１１１の一端側を支持する図示しない支持部材が設けられている。
【００２３】
具体的には、支持部材は、たとえば、表示枠１１２の一端部を支持する軸状部材によって実現することができる。この場合、収納空間内において、支持部材の周囲に表示面部１１１を巻き付けた状態で、表示面部１１１を収納することができる。上述した発光制御部は、収納部１２０内に収納されている。
【００２４】
また、複数の発光部材が収納空間内に収納されている状態においては、上述した光源部は、複数の発光部材とともに収納空間内に収納される。ここで、たとえば、単一の光源部であれば、たとえば、可倒性を有する材料によって形成された有機ＥＬパネルなどを光源部として用いることで、発光部材の長手方向の端部に設けられた光源部を、発光部材とともに巻回することができる。
【００２５】
（表示装置の表示原理）
つぎに、この発明にかかる実施の形態１の表示装置１００の表示原理について説明する。図２および図３は、実施の形態１の表示装置１００の表示原理について説明する説明図（その１）および（その２）である。図２および図３において、符号２０１は発光部材である。発光部材２０１の外周面には、発光部材２０１の長手方向に沿って配向するように制御された液晶材料が設けられている。これにより、発光部材２０１からは、液晶材料の間を通過した特定の方向に偏光する光のみが発光される。
【００２６】
図２および図３において、符号２０２は液晶素子である。図示を省略するが、液晶素子は、発光部材２０１の長手方向に沿って複数配列されており、各液晶素子２０２に電圧を印加するための電極対が、液晶素子２０２ごとに設けられている。また、図２および図３において、符号２０３は画素部である。画素部２０３は、発光部材２０１と液晶素子２０２とが交差する領域であり、液晶素子２０２の配列個数分存在する。
【００２７】
図２においては、液晶素子２０２に電圧が印加されている状態が示されている。液晶素子２０２に電圧が印加されている状態では、液晶素子２０２における液晶分子２０４は、発光部材２０１から発光される光の偏光方向とは異なる方向に配向されている。これにより、発光部材２０１が発光しているか否かに拘わらず、画素部２０３は暗い状態となっている。
【００２８】
図３においては、液晶素子２０２に電圧が印加されていない状態が示されている。液晶素子２０２に電圧が印加されていない状態では、液晶素子２０２における液晶分子２０４は、発光部材２０１から発光される光の偏光方向と同じ方向に配向されている。これにより、発光部材２０１が発光している場合には、発光部材２０１から発光された光が画素部２０３を通過するので、画素部２０３は明るい状態となる。
【００２９】
（表示装置の表示動作）
つぎに、実施の形態１の表示装置１００の表示動作について説明する。図４は、表示装置１００の表示動作を説明する説明図である。図４において、液晶素子２０２は、複数の発光部材２０１の配列方向に沿って連続する長尺形状を有している。これにより、液晶素子２０２に対する電圧印加状態、すなわち、液晶素子２０２における液晶分子の配向方向は、複数の発光部材２０１の配列方向に沿って画一される。
【００３０】
液晶素子２０２は、一般的には、ガラスなどの柔軟性の低い材料を用いて形成されているが、表示装置１００に要求される光透過性を有する材料であれば、ガラスに限らない。この場合、ガラスに替えて、たとえば、高分子材料などの柔軟性を有する材料によって液晶素子２０２形成する。これによって、個々の液晶素子２０２に柔軟性を付与することができる。特に、図４に示すような構成を有する表示装置１００であれば、液晶素子２０２が柔軟性を有していることが好ましい。
【００３１】
図４に示す表示装置１００においては、発光部材２０１と液晶素子２０２とが交差する部分が画素部２０３となる。表示装置１００における発光制御部は、表示動作に際して、上述した画像データに基づいて、発光させる画素部４０１を含む発光部材２０１を発光させるとともに、発光させる画素部４０１を含む液晶素子２０２の電極における電圧の印加状態を選択的に非印加状態とする。
【００３２】
ここで、たとえば、自発光する発光部材２０１であれば、発光制御部は、発光させる画素部４０１を含む発光部材２０１の発光／非発光タイミング、および、発光させる画素部４０１を含む液晶素子２０２の電極における電圧の印加／非印加のタイミングを制御する。これに対し、光源部から出射された光を伝播することによって発光する発光部材２０１であれば、発光させる画素部４０１を含む発光部材２０１に対応する光源部における点灯／消灯タイミング、および、発光させる画素部４０１を含む液晶素子２０２の電極における電圧の印加／非印加のタイミングを制御する。
【００３３】
また、単一の光源部であれば、発光制御部は、光源部の点灯／消灯タイミングのみを制御する。これに対し、複数の光源部であれば、発光制御部は、画像データに基づいて該当する光源部の点灯／消灯タイミングを制御する。これにより、該当する発光部材２０１が、光源部の点灯／消灯タイミングに同期して発光する。
【００３４】
また、複数の光源部が、赤色・青色・緑色を含む複数色の光を発光部材２０１ごとにそれぞれ発光する光源部であれば、画像データに基づいて該当する色を発光する光源部の点灯／消灯タイミングを制御する。これにより、各発光部材２０１は、それぞれ該当する色の光を発光する。
【００３５】
また、複数の光源部が、赤色、青色、または緑色のいずれかの色を発光部材２０１ごとにそれぞれ発光する光源部であれば、画像データに基づいて該当する光源部の点灯／消灯タイミングを制御する。これにより、該当する発光部材２０１が、それぞれ、光源部から発光された光の色で発光する。
【００３６】
このように、画像データに基づいて、発光制御部によって、光源部における点灯／消灯タイミング、および、画像データに基づいて該当する液晶素子２０２の電極における電圧の印加／非印加のタイミングを制御することにより、電圧が非印加状態とされた液晶素子２０２によって形成される画素部２０３は、発光部材２０１から発光された光で発光する。
【００３７】
さらに、発光制御部は、発光させる画素部２０３を、発光部材２０１の長手方向に沿って順次移動させる。ここで、発光する画素部２０３の移動、すなわち、電圧を非印加状態とする液晶素子２０２を高速で切替えることで、利用者の目に生じる残像現象を利用して、表示面部１１１に画像を表示することができる。これによって、表示装置１００における表示動作が実現される。
【００３８】
ところで、液晶素子において、液晶材料を挟み込む透明基板は、たとえば、ガラスなどのように柔軟性が極度に低い材料を用いて形成されていることが多い。このため、複数の発光部材２０１の配列方向に沿って連続する図示しない液晶素子を、発光部材２０１の長手方向に沿って複数設ける場合には、可撓性を有する連結部材を用いて液晶素子を連結するとともに、発光部材２０１を可撓性を有する材料によって形成する。これによって、液晶素子の長手方向に平行な軸心周りに表示画面部１１１を巻回することができ、巻回された表示画面部１１１を収納部１２０に収納することができる。
【００３９】
なお、実施の形態１においては、図４に示すように、複数の液晶素子２０２が、発光部材２０１の長手方向に沿って発光部材２０１ごとにそれぞれ配列された表示装置１００について説明したが、これに限るものではない。ここで、図５は、別の表示装置の構成について説明する説明図である。たとえば、図５に示すように、画素部２０３１つ分相当のサイズの液晶素子５０１を、発光部材２０１の長手方向に沿って複数設けた表示装置５００としてもよい。
【００４０】
上述したように、実施の形態１の表示装置１００によれば、発光部材２０１において発光する画素部２０３を順次切り換えることで画像を表示することができるので、構成を複雑にすることなく画像を大画面表示することができる。また、表示装置１００によれば、これらの複数の発光部材２０１が、発光部材２０１の長手方向に平行な軸心周りに巻回可能に連結されているため、表示装置１００の不使用時には発光部材２０１を巻回した状態とすることで表示装置１００を小型化することができる。これによって、利用者は、画像を大画面で観賞するとともに、不使用時には表示装置を小型化して容易に取り扱うことができる。
【００４１】
また、実施の形態１の表示装置１００によれば、発光部材２０１の長手方向に平行な軸心周りに巻回された状態の複数の発光部材２０１を、収納部内１２０に収納することができる。したがって、表示装置１００は、巻回された表示面部１１１が不用意に広がってしまうことを防止することができる。これによって、利用者は、小型化した表示装置１００を容易に取り扱うことができる。
【００４２】
また、表示面部１１１の一端側は、収納部１２０内に設けられた支持部材によって支持されているため、支持部材を基準として、表示面部１１１を定位置で巻回させることができる。これによって、利用者は、複数の発光部材２０１の巻回、および、巻回した複数の発光部材２０１の収納部１２０内への収納作業などを容易におこなうことができるので、表示装置１００を容易に取り扱うことができる。
【００４３】
また、実施の形態１の表示装置１００によれば、画素部２０３の発光を制御する発光制御部が収納部１２０内に設けられているため、表示装置１００を構成する各部を一体化して、表示装置１００を小型化することができる。これによって、利用者は、表示装置１００を容易に取り扱うことができる。
【００４４】
また、実施の形態１の表示装置１００によれば、光源部を用いて発光部材２０１を発光させることで、たとえば、高分子材料やガラスなど公知の各種材料を用いて発光部材２０１を形成することができるので、要求される耐久性や装置の製造コストなどの各種の都合に対応することができる。これによって、利用者は、画像を大画面で観賞するとともに、不使用時には表示装置１００を小型化して容易に取り扱うことができる。
【００４５】
また、実施の形態１の表示装置１００によれば、発光部材２０１が発光する光および画素部２０３において透過させる光を、特定方向に偏光する光に限定することで、画素部２０３における発光制御の精度の向上を図ることができる。これによって、利用者は、より高精度な画像を大画面で観賞するとともに、不使用時には表示装置１００を小型化して容易に取り扱うことができる。
【００４６】
また、実施の形態１の表示装置１００において、発光部材２０１ごとに光源部を設けることで、各光源部を発光部材２０１ごとに対応付けて、それぞれ独立した構成とすることができる。したがって、光源部ごとに最適な配線を取り回すことで、表示面部１１１を巻回することによる断線を防止することができる。これによって、利用者は、表示面部１１１の巻回に際して、格別な注意を払うことなく、表示装置１００を容易に取り扱うことができる。
【００４７】
また、実施の形態１の表示装置１００によれば、光源部は、発光部材２０１ごとに設けられて、赤色、青色および緑色を含む複数色の光を発光するため、表示装置１００においてカラー画像を大画面表示することができる。また、この場合、同じ解像度の画像を表示する場合であれば、発光部材２０１ごとに一つの光源部を設ける場合と比較して、発光部材の本数を少なくすることができる。これによって、同じ解像度であれば小型化し、同じサイズであれば高解像度化することができる。
【００４８】
また、実施の形態１の表示装置１００によれば、光源部は、発光部材２０１ごとに設けられて、赤色、青色または緑色のいずれかの色の光をそれぞれ発光するため、カラー画像を大画面で観賞するとともに、不使用時には小型化して収納することができる。また、この場合、発光部材２０１ごとに１つの光源部が設けられているため、構成を簡易化し、メンテナンス性の向上を図ることができる。
【００４９】
なお、実施の形態１においては、発光部材２０１ごとにそれぞれ対応付けて複数の光源部を設けた場合について説明したが、これに限るものではない。たとえば、赤色・青色・緑色の各色の光をそれぞれ発光する複数の光源部を、発光部材２０１ごとにそれぞれ設けるようにしてもよい。これにより、同じ解像度の画像を表示する場合であれば、発光部材２０１ごとに１つの光源部を設ける場合と比較して、発光部材２０１の数を低減することができる。
【００５０】
また、出射する光量が可変な光源部を用いた場合、発光制御部によって、光源部における光の出射タイミングおよび光量を制御して、発光部材２０１におけるいずれか１つの画素部２０３を発光させることにより、各画素部２０３における発光量を調整することができる。したがって、階調を有する画像を大画面表示するとともに、画像を表示しない場合には小型化することができる表示装置１００を提供することができる。
【００５１】
なお、複数の発光部材２０１の配列方向に沿って連続する図示しない液晶素子を、発光部材２０１の長手方向に沿って複数設けた場合、発光制御部は、液晶素子２０２における液晶分子２０４の配向方向を複数の発光部材２０１すべてに対して画一的に制御すればよいので、発光制御部による制御の簡易化を図ることができる。
【００５２】
（実施の形態２）
つぎに、この発明にかかる表示装置の好適な実施の形態２について説明する。実施の形態２も、上述した実施の形態１と同様、上述した表示装置の基本構成を備えて、静止画像や動画像などを表示面に表示させる表示装置に適用した例である。図６は、実施の形態２の表示装置の構成について説明する説明図である。なお、上述した部分については、同一部分は同一符号で示し説明も省略する。
【００５３】
図６に示すように、実施の形態２の表示装置６００における発光部材２０１は、自身の長手方向を表示面における走査方向に直交する方向に平行にした状態で設けられている。発光部材２０１は、たとえば、柔軟性を有する光ファイバーなどによって実現することができる。図６中符号６０１は光源部である。
【００５４】
実施の形態２において、光源部６０１は、発光部材２０１の上端部に設けられているが、これに限るものではない。図示を省略するが、光源部６０１は、たとえば、収納部１２０内に設けてもよい。
【００５５】
また、液晶素子２０２は、自身の長手方向を表示面における走査方向に平行にした状態で設けられている。実施の形態２においては、基板にガラス材料を用いた一般的な構成を有する液晶素子２０２を用いることができる。表示装置６００においても、発光部材２０１と液晶素子２０２とが交差する部分が画素部２０３となる。
【００５６】
表示装置６００における発光制御部は、表示動作に際して、上述した画像データに基づいて、発光させる画素部４０１を含む発光部材２０１を発光させるとともに、発光させる画素部４０１を含む液晶素子２０２の電極における電圧の印加／非印加のタイミングを制御する。
【００５７】
上述したように、実施の形態２の表示装置６００によれば、表示面に沿って配列されて長手方向に沿って発光する複数の発光部材２０１が、それぞれ、長手方向に非平行な軸心周りに巻回可能であるため、たとえば、複数の発光部材２０１を、液晶素子２０２の長手方向に平行な軸心周りに巻回し、巻回された状態の複数の発光部材２０１を、収納部内１２０に収納することができる。したがって、表示装置６００は、巻回された表示面部１１１が不用意に広がってしまうことを防止することができる。これによって、利用者は、小型化した表示装置１００を容易に取り扱うことができる。
【００５８】
また、実施の形態２の表示装置６００によれば、液晶素子２０２の長手方向に平行な軸心周りに巻回することができるので、柔軟性の低いガラス材料を用いて形成された一般的な構成を有する液晶素子２０２を利用することができる。したがって、表示装置６００は、液晶素子２０２における液晶分子の配向制御の精度を良好に維持し、表示装置６００における表示性能を良好に維持することができる。これによって、利用者は、高品質な画像を大画面で観賞するとともに、不使用時には表示装置を小型化して容易に取り扱うことができる。
【００５９】
また、実施の形態２の表示装置６００によれば、光源部６０１を収納部１２０内に設けることにより、表示面部１１１における表示面積を拡大するとともに、収納部１２０によって光源部６０１を外部からの衝撃などから保護することができる。したがって、表示装置６００は、より大きな画像を表示するとともに、不使用時に小型化される際に加えられた衝撃などに対する耐久性の向上を図ることができる。これによって、利用者は、より大きな画面で画像を観賞するとともに、不使用時に小型化する際により容易に取り扱うことができる。
【００６０】
なお、上述した実施の形態１、２においては、画像を表示する際に、表示面部１１１よりも上側に収納部１２０が設けられた表示装置１００、６００について説明したが、これに限るものではない。収納部１２０は、たとえば、画像を表示する際に、表示面部１１１の側方となる位置に設けられていてもよい。
【００６１】
また、上述した実施の形態１、２においては、画像を表示する際に水平方向となる方向に長い形状を有する表示面部１１１について説明したが、これに限るものではない。たとえば、掛け軸のように、画像を表示する際に垂直方向となる方向に長い形状を有する表示面部を有する表示装置であってもよい。また、表示面部の形状の四角形状に限るものではなく、たとえば、支持部材を底辺とする三角形状としてもよい。
【実施例】
【００６２】
つぎに、上述した実施の形態１にかかる実施例の表示装置について説明する。実施例の表示装置は、テレビ番組や録画済みのコンテンツ、あるいは、デジタル写真の画像などを表示する表示装置へ適用した例である。
【００６３】
まず、上述した実施の形態１にかかる実施例の表示装置の外観について説明する。図７は、実施例の表示装置の外観を示す平面図である。図７に示すように、この実施例の表示装置７００は、収納部７０１と、表示部７０２と、を備えている。収納部７０１は、箱形状を有しており、内側に収納空間を有している。収納部７０１の一側面には、図示しない開口部が設けられている。
【００６４】
表示部７０２は、シート状あるいは平板形状を有している。表示部７０２の一端部側は、上述した開口部を介して収納部７０１内に挿入されている。表示部７０２において、収納部７０１内に挿入された一端部側は、収納部７０１の内部に設けられた図示しない支持機構によって支持されている。支持機構は、表示部７０２の一端側が固定される図示しない軸を有している。表示部７０２は、表示画面部７０３と表示枠７０４とを備えている。表示画面部７０３には、画像が表示される。表示枠７０４は、表示画面部７０３の外側に設けられている。表示枠７０４は、表示画面部７０３の背面側を覆うように設けられていてもよい。表示枠７０４は、可撓性を有する材料によって形成されている。
【００６５】
つぎに、表示画面部７０３の具体的な構成について説明する。図８は、表示画面部７０３の具体的な構成を示す説明図である。上述した表示画面部７０３は、図８に示すように、光源部８０１と、複数の発光チューブ８０２（図９または図１０参照）と、図示しない液晶素子と、図示しない電極と、を備えている。
【００６６】
まず、光源部８０１は、複数の発光チューブ８０２のそれぞれに対応付けられた複数のＬＥＤ光源（図１１参照）を備えている。光源部８０１には、赤色、青色または緑色のうちいずれかの色の光を発光する３種類のＬＥＤ光源（図１２参照）がそれぞれ複数設けられている。光源部８０１においては、赤色、青色または緑色の光を発光するＬＥＤ光源が所定の順序で配列されている。
【００６７】
また、複数の発光チューブ８０２は、それぞれ表示面に沿って、各発光チューブ８０２が平行な状態で配置されている。各発光チューブ８０２は、自身の長手方向が走査方向に平行となるような状態で配置されている。ここで、発光チューブ８０２について説明する。図９は、発光チューブ８０２を示す斜視図である。図７において、発光チューブ８０２は、光透過性を有する材料によって形成されたチューブ９０１と、チューブ９０１の外周面に設けられた液晶材料９０２と、を備えている。
【００６８】
チューブ９０１を形成する材料および液晶材料９０２については、格別限定されるものではない。液晶材料９０２における液晶分子９０３は、ＬＥＤ光源部８０１における各ＬＥＤ光源から発光された光のうち、特定の方向に偏光する光を、チューブ９０１の外部へ透過させるように配向制御されている。
【００６９】
なお、チューブ９０１の外周面には、液晶材料に限るものではなく、たとえば、特定の方向に偏光する光を透過させる偏光板が設けられていてもよい。偏光板は、所定の偏光パターンが印刷された透明シートを貼り付けることで設けられていてもよいし、所定の偏光パターンをチューブ９０１の外周面に直接印刷することで設けられていてもよい。
【００７０】
なお、発光チューブ８０２は、図９に示した構成に限るものではない。発光チューブ８０２は、たとえば、図１０に示す構成を有していてもよい。ここで、図１０は、別の発光チューブ８０２を示す断面図である。図１０に示すように、別の発光チューブ８０２は、２つの材料によって形成されたチューブ９０１を備えている。
【００７１】
図１０に示すように、チューブ９０１は、それぞれ異なる材料によって形成された２つの部材１００１、１００２によって構成されている。一方の部材１００１は、光透過性を有する材料によって形成されており、表示面側に位置づけられる。他方の部材１００２は、金属材料によって形成されており、表示面側から離間する側に位置づけられる。他方の部材１００２は、発光チューブ１００２が発光する光のうち、表示面から離間する側に向けて発光された光を、表示面側へ反射させる。
【００７２】
なお、金属材料は、他方の部材１００２のように、チューブ９０１の一部を構成するものに限らず、光透過性を有する材料によって形成されたチューブ９０１の一部に設けられていてもよい。具体的には、表示面側とは離間する側となる部分に金属材料によって形成された膜を成膜する。この膜は、チューブ９０１の内周面に設けられていてもよいし、外周面に設けられていてもよい。また、実施例では、円筒形状を有するチューブ９０１を用いたが、必要な光量、表示画面部７０３の巻き上げに支障がない範囲で断面が三角形や四角形などの多角形あるいは楕円形など様々な形状を用いることも可能である。
【００７３】
また、図示を省略するが、液晶素子は、上述した実施の形態１、２において説明したように、発光チューブ８０２の長手方向に沿って、発光チューブ８０２ごとに複数配列されている。発光部材６０２と液晶素子とが交差する領域には、図示しない画素部が形成されている。画素部は、液晶素子の配列個数分存在する。表示装置７００においては、画素部の個数が、画素数である。液晶素子と同様に図示を省略するが、電極は、液晶素子ごとに対をなすように複数設けられている。すなわち、表示装置７００は、液晶素子と同数の電極対を備えている。
【００７４】
また、表示画面部７０３は、発光チューブ８０２全体を外側から覆う保護シートを備えている。保護シートは、表示画面部７０３によって表示される画像の視認性を損なうことがない程度の光透過性を有する材料によって形成されている。また、保護シートは、表示枠７０４を形成する材料と同程度の可撓性を有する材料によって形成する。上述した複数の発光チューブ８０２は、図示しない固定部材によって、互いに所定の間隔を開けた状態で保護シートに固定されている。なお、反射防止膜やカラーフィルターなど、表示装置７００における光学特性を向上させる機能を有する保護シートを用いてもよい。
【００７５】
つぎに、実施例の表示装置７００が備える電気的な構成について説明する。図１１は、表示装置７００が備える電気的な構成を示すブロック図である。図１１において、表示装置７００は、ＣＰＵ１１０１と、ＲＯＭ１１０２と、ＲＡＭ１１０３と、ＶＲＡＭ１１０４と、電圧制御回路１１０５と、ＬＥＤ制御回路１１０６と、Ｉ／Ｆ１１０７と、ロール駆動回路１１０８と、を備えている。表示装置７００が備える各部１１０１〜１１０８は、バス１１０９によって接続されており、上述した収納部７０１内に設けられている。
【００７６】
ＣＰＵ１１０１は、表示装置７００全体の制御を司る。ＲＯＭ１１０２は、ブートプログラムなどの各種制御プログラムを記録している。ＲＡＭ１１０３は、ＣＰＵ１１０１のワークエリアとして使用される。すなわち、ＣＰＵ１１０１は、ＲＡＭ１１０３をワークエリアとして使用しながら、ＲＯＭ１１０２に記録された各種プログラムを実行することによって、表示装置７００の全体の制御を司る。
【００７７】
また、ＶＲＡＭ１１０４は、表示画面部７０３に即時表示可能な画像データを一時的に記録する。電圧制御回路１１０５は、後述する電極によって電圧を印加／非印加状態とするタイミングを制御する。電圧制御回路１１０５は、走査線方向に沿って同一位置にある電極に対して、同一のタイミングで電圧を非印加状態とする。ＬＥＤ制御回路１１０６は、光源部８０１における発光動作を制御する。ＬＥＤ制御回路１１０６は、複数の発光チューブ８０２に対して、それぞれのタイミングに応じて光が入射されるように発光動作を制御する。
【００７８】
Ｉ／Ｆ１１０７は、無線あるいは通信ケーブルを介してパーソナル・コンピュータなどの外部装置に接続され、この外部装置とＣＰＵ１１０１とのインターフェースとして機能する。外部装置に接続されることにより、パーソナル・コンピュータなどから送信された画像のデータを受信することができる。またＩ／Ｆ１１０７はユーザからの操作指令を検知する機能を持ち合わせている。
【００７９】
ロール駆動部１１０８は、ユーザの操作あるいはプログラムにより、収納部７０１の内部に設けられた支持機構が有する軸を回転駆動させるためのモータを駆動させるための回路である。ロール駆動部１１０８は、たとえば、ユーザから電源ＯＦＦあるいは格納指令などの指示操作を受け付けた場合に、表示画面部７０３を巻き上げる方向に軸を回転させる。上述したように、軸には表示画面部７０３の端部が固定されているため、表示画面部７０３は、軸の回転に応じて軸心周りに巻き上げられ、収納部７０１の内部へ格納される。
【００８０】
また、ロール駆動部１１０８は、たとえば、ユーザから電源ＯＮあるいは表示指令などの指示操作を受け付けた場合に、表示画面部７０３が繰り出される方向に軸を回転させる。表示画面部７０３は、軸の回転に応じて軸心周りに回転しながら繰り出され、画像を表示可能な位置に位置付けられる。
【００８１】
つぎに、表示装置７００の表示動作について説明する。図１２は、表示装置７００の表示動作について説明する説明図である。図１２においては、表示画面部７０３における一部の発光チューブ８０２が示されている。図１２中、符号１２０１は、発光チューブ８０２ごとに設けられたＬＥＤ光源を示している。
【００８２】
図１２において、表示画面部７０３への画像の表示に際しては、上述した画像データに基づいて、該当するＬＥＤ光源１２０１を点灯させる。同時に、同じ画像データに基づいて、該当する電極において電圧を非印加状態とする。このとき、ＣＰＵ１１０１は、発光チューブ８０２ごとに、いずれか１つの電極において電圧が非印加状態されるように制御する。これによって、発光チューブ８０２ごとにいずれか１つの画素部１２０２が発光する。
【００８３】
このような発光動作を、図１２中矢印で示す走査方向に沿って順次おこなわせる。これにより、表示画面部７０３において発光する画素部１２０２が、走査方向に沿って順次移動する。表示装置７００は、このような、発光する画素部１２０２の移動を高速でおこなわせることにより、利用者の目に生じる残像現象を利用して、表示面に画像を表示することができる。
【００８４】
上述したように、実施例によれば、画像データに基づいて、電圧制御回路１１０５によって電圧が非印加状態とされる電極を切替える切替え速度を所定速度以上の高速とすることで、発光チューブ８０２の数と、発光チューブ８０２ごとの液晶素子の配列個数との積によって算出される画素数分の解像度を有する画像を、表示画面部７０３に表示することができる。これによって、この表示装置７００と同数の解像度分の発光素子を設けた表示装置と比較して、構成を複雑にすることなく画像を大画面表示することができる。
【００８５】
また、実施例によれば、表示部７０２を発光チューブ８０２の長手方向と平行な軸心周りに巻き上げることができるので、発光チューブ８０２を変形させることなく、表示装置７００の大きさを小さくすることができる。これによって、利用者は、画像を大画面で観賞するとともに、不使用時には表示装置７００を小型化して容易に取り扱うことができる。
【００８６】
また、実施例によれば、発光チューブ８０２の長手方向と平行な軸心周りに巻き上げた状態の表示部７０２を、収納部１２０内に収納することができる。したがって、表示装置７００は、巻回された表示部７０２が不用意に広がってしまうことを防止することができる。これによって、利用者は、小型化した表示装置７００を容易に取り扱うことができる。
【００８７】
また、表示部７０２の一端側は、収納部７０１内に設けられた支持部材によって支持されているため、支持部材を基準として、表示面部１１１を定位置で巻回させることができる。これによって、利用者は、表示部７０２の巻回、および、巻回した表示部７０２の収納部７０１内への収納作業などを容易におこなうことができるので、表示装置７００を容易に取り扱うことができる。
【００８８】
また、実施例によれば、表示装置７００における表示動作を制御する各部１１０１〜１１０７が収納部７０１内に設けられているため、表示装置７００を構成する各部を一体化して、表示装置７００を小型化することができる。これによって、利用者は、表示装置７００を容易に取り扱うことができる。
【００８９】
また、実施例によれば、ＬＥＤ光源を用いて発光チューブ８０２を発光させることで、たとえば、発光チューブ８０２を形成する材料の選択肢が広がり、高分子材料やガラスなど公知の各種材料を用いて発光チューブ８０２を形成することができる。これによって、利用者は、表示装置７００に対して要求される耐久性や装置の製造コストなどの各種の要求を満たした表示装置７００を得ることができる。
【００９０】
また、実施例によれば、発光チューブ８０２が発光する光および画素部１２０２において透過させる光を、特定方向に偏光する光に限定することで、画素部１２０２における発光制御の精度の向上を図ることができる。これによって、利用者は、より高精度な画像を大画面で観賞するとともに、不使用時には表示装置７００を小型化して容易に取り扱うことができる。
【００９１】
また、実施例によれば、発光チューブ８０２ごとにＬＥＤ光源１２０１が設けられているため、各ＬＥＤ光源１２０１を発光チューブ８０２ごとに対応付けて、それぞれ独立した構成とすることができる。したがって、ＬＥＤ光源１２０１ごとに最適な配線を取り回すことで、表示部７０２を巻回することによる断線を防止することができる。これによって、利用者は、表示部７０２の巻回に際して、格別な注意を払うことなく、表示装置７００を容易に取り扱うことができる。
【００９２】
また、実施例によれば、ＬＥＤ光源１２０１は、発光チューブ８０２ごとに設けられて、赤色、青色または緑色のいずれかの色の光をそれぞれ発光するため、カラー画像を大画面で観賞するとともに、不使用時には小型化して収納することができる。また、この場合、発光チューブ８０２ごとに１つのＬＥＤ光源１２０１が設けられているため、構成を簡易化し、メンテナンス性の向上を図ることができる。
【００９３】
また、実施例においては、ＬＥＤ光源１２０１から出射される光量を可変としてもよい。具体的には、ＬＥＤ制御回路１１０６によって、各ＬＥＤ光源１２０１へ供給する電力量を、画像データに基づいて調整する。これによって、各画素部１２０２の発光輝度を調整することができるので、階調を有する画像を大画面で観賞するとともに、不使用時には表示装置７００を小型化して容易に取り扱うことができる。
【００９４】
なお、実施例においては、発光チューブ８０２ごとにそれぞれ対応付けて複数のＬＥＤ光源１２０１を設けた場合について説明したが、これに限るものではない。ここで、図１３は、別の実施例の表示装置について説明する説明図である。図１３に示すように、別の実施例の表示装置においては、赤色・青色・緑色の各色の光をそれぞれ発光する複数のＬＥＤ光源１２０１が、発光チューブ８０２ごとにそれぞれ設けられている。図１３中符号１３０１は、発光チューブ８０２において発光する画素部をあらわしている。画素部１３０１は、点灯されたＬＥＤ光源１２０１に応じた色で発光する。
【００９５】
このような構成により、上述した表示装置７００と同じ解像度の画像を表示する場合であれば、表示装置７００と比較して、発光チューブ８０２の本数を３分の１とすることができる。これによって、構成を簡易化することができる。また、上述した表示装置７００と同じ大きさに構成する場合であれば、表示する画像の解像度を３倍にすることができる。これによって、画質を向上させることができる。
【００９６】
また、実施例においては、発光チューブ８０２が、自身の長手方向が走査方向に平行となるような状態で配置されている表示装置７００について説明したが、これに限るものではない。上述した実施の形態１で説明したように、発光チューブ８０２の長手方向を垂直方向にした状態とし、長尺状の液晶素子を発光チューブ８０２の長手方向に沿って複数設けるようにしてもよい。これにより、一般的な材料によって形成された液晶素子を用いることができる。
【００９７】
なお、上述した実施例においては、図１２および図１３に示すように、発光チューブ８０２の長手方向の一端部側に、すべての光源部が設けられている表示装置７００について説明したが、これに限るものではない。図示を省略するが、たとえば、或る光源部が、対応する発光チューブ８０２の長手方向の一端部に設けられている場合、当該発光チューブ８０２に隣接する発光チューブ８０２に対応する光源部は、発光チューブ８０２の長手方向の他端部に設けるなど、発光チューブ８０２の長手方向の一端部側と多端部側とに交互に設けられていてもよい。
【００９８】
また、光源部は、発光チューブ８０２ごとに交互に設けるものに限らず、たとえば、２本ごと、のように同じ本数であれば複数本の発光チューブ８０２ごとに交互に設けられていてもよい。いずれの場合にも、表示装置７００に対して鉛直方向に加わる重量のバランスが、表示装置７００全体において、均等に加わるようにバランス調整されていればよく、光源部の設け方のパターンはこれらに限るものではない。
【００９９】
以上説明したように、表示装置７００によれば、構成を複雑にすることなく画像を大画面表示することができる。これによって、利用者は、画像を大画面で観賞するとともに、不使用時には表示装置を小型化して容易に取り扱うことができる。
【図面の簡単な説明】
【０１００】
【図１】実施の形態１の表示装置の外観を示す説明図である。
【図２】表示装置の表示原理について説明する説明図（その１）である。
【図３】表示装置の表示原理について説明する説明図（その２）である。
【図４】表示装置の表示動作を説明する説明図である。
【図５】別の表示装置の構成について説明する説明図である。
【図６】実施の形態２の表示装置の構成について説明する説明図である。
【図７】実施例の表示装置の外観を示す平面図である。
【図８】表示画面部の具体的な構成を示す説明図である。
【図９】発光チューブを示す斜視図である。
【図１０】別の発光チューブを示す断面図である。
【図１１】表示装置が備える電気的な構成を示すブロック図である。
【図１２】表示装置の表示動作について説明する説明図である。
【図１３】別の実施例の表示装置について説明する説明図である。
【符号の説明】
【０１０１】
１００  表示装置
１２０  収納部
２０１  発光部材
５００  表示装置
６００  表示装置
【図１】
2007171831.tif 000003
【図２】
2007171831.tif 000004
【図３】
2007171831.tif 000005
【図４】
2007171831.tif 000006
【図５】
2007171831.tif 000007
【図６】
2007171831.tif 000008
【図７】
2007171831.tif 000009
【図８】
2007171831.tif 000010
【図９】
2007171831.tif 000011
【図１０】
2007171831.tif 000012
【図１１】
2007171831.tif 000013
【図１２】
2007171831.tif 000014
【図１３】
2007171831.tif 000015
【手続補正書】
【提出日】平成18年8月29日(2006.8.29)
【手続補正１】
【補正対象書類名】特許請求の範囲
【補正対象項目名】請求項５
【補正方法】変更
【補正の内容】
【請求項５】
前記発光部材に対して光を入射する光源部を備え、
前記発光部材は、前記光源部によって入射された光を前記長手方向に伝播することで発光し、
前記発光制御手段は、前記発光部材によって伝播される光を前記任意の画素部において前記表示面側へ出射させることによって当該任意の画素部を発光させることを特徴とする請求項４に記載の表示装置。
【手続補正２】
【補正対象書類名】明細書
【補正対象項目名】００５７
【補正方法】変更
【補正の内容】
【００５７】
上述したように、実施の形態２の表示装置６００によれば、表示面に沿って配列されて長手方向に沿って発光する複数の発光部材２０１が、それぞれ、長手方向に非平行な軸心周りに巻回可能であるため、たとえば、複数の発光部材２０１を、液晶素子２０２の長手方向に平行な軸心周りに巻回し、巻回された状態の複数の発光部材２０１を、収納部内１２０に収納することができる。したがって、表示装置６００は、巻回された表示面部１１１が不用意に広がってしまうことを防止することができる。これによって、利用者は、小型化した表示装置６００を容易に取り扱うことができる。
【手続補正３】
【補正対象書類名】明細書
【補正対象項目名】００６６
【補正方法】変更
【補正の内容】
【００６６】
まず、光源部８０１は、複数の発光チューブ８０２のそれぞれに対応付けられた複数のＬＥＤ光源（図１２参照）を備えている。光源部８０１には、赤色、青色または緑色のうちいずれかの色の光を発光する３種類のＬＥＤ光源（図１２参照）がそれぞれ複数設けられている。光源部８０１においては、赤色、青色または緑色の光を発光するＬＥＤ光源が所定の順序で配列されている。
【手続補正４】
【補正対象書類名】明細書
【補正対象項目名】００６７
【補正方法】変更
【補正の内容】
【００６７】
また、複数の発光チューブ８０２は、それぞれ表示面に沿って、各発光チューブ８０２が平行な状態で配置されている。各発光チューブ８０２は、自身の長手方向が走査方向に平行となるような状態で配置されている。ここで、発光チューブ８０２について説明する。図９は、発光チューブ８０２を示す斜視図である。図９において、発光チューブ８０２は、光透過性を有する材料によって形成されたチューブ９０１と、チューブ９０１の外周面に設けられた液晶材料９０２と、を備えている。
【手続補正５】
【補正対象書類名】明細書
【補正対象項目名】００７１
【補正方法】変更
【補正の内容】
【００７１】
図１０に示すように、チューブ９０１は、それぞれ異なる材料によって形成された２つの部材１００１、１００２によって構成されている。一方の部材１００１は、光透過性を有する材料によって形成されており、表示面側に位置づけられる。他方の部材１００２は、金属材料によって形成されており、表示面側から離間する側に位置づけられる。他方の部材１００２は、発光チューブ８０２が発光する光のうち、表示面から離間する側に向けて発光された光を、表示面側へ反射させる。
【手続補正６】
【補正対象書類名】明細書
【補正対象項目名】００７９
【補正方法】変更
【補正の内容】
【００７９】
ロール駆動回路１１０８は、ユーザの操作あるいはプログラムにより、収納部７０１の内部に設けられた支持機構が有する軸を回転駆動させるためのモータを駆動させるための回路である。ロール駆動回路１１０８は、たとえば、ユーザから電源ＯＦＦあるいは格納指令などの指示操作を受け付けた場合に、表示画面部７０３を巻き上げる方向に軸を回転させる。上述したように、軸には表示画面部７０３の端部が固定されているため、表示画面部７０３は、軸の回転に応じて軸心周りに巻き上げられ、収納部７０１の内部へ格納される。
【手続補正７】
【補正対象書類名】明細書
【補正対象項目名】００８０
【補正方法】変更
【補正の内容】
【００８０】
また、ロール駆動回路１１０８は、たとえば、ユーザから電源ＯＮあるいは表示指令などの指示操作を受け付けた場合に、表示画面部７０３が繰り出される方向に軸を回転させる。表示画面部７０３は、軸の回転に応じて軸心周りに回転しながら繰り出され、画像を表示可能な位置に位置付けられる。